(57)【要約】【課題】  大小の少なくとも２種の、フォーマットの異なるディスクに対応し、トレイに載置されたディスクに応じて記録再生できるコンパクトなディスク装置を得る。【解決手段】  ディスク３-1，３-2と新ディスク４のフォーマットに対応させ別々のメカデッキを設け、何れか１枚のディスクのみを記録再生するディスク装置で、トレイ１２は両方のディスク３，４の載置部を有し、最も大きなディスク３-1のディスク領域に新ディスク４の載置領域を食い込ませるように新ディスク４用のメカデッキを配置するとともに、ディスク３-1と同じフォーマットのディスク３-2の載置面より下レベルで、ディスク３-1，３-2と干渉しないようにディスク４の載置面を設けた。【選択図】        図１ 
2005310317.tif 000002
【特許請求の範囲】
【請求項１】
第１のディスク状記録媒体と該第１のディスク状記録媒体より小径の第２のディスク状記録媒体とを記録及び／又は再生するディスク装置において、
相互に固定された前記第１のディスク状記録媒体に対応した第１のターンテーブル及び前記第２のディスク状記録媒体に対応した第２のターンテーブルと、
前記第１のディスク状記録媒体と前記第２のディスク状記録媒体をそれぞれ載置できるような凹部を設けた一枚のトレイとを有し、
前記第１のターンテーブルに前記第１のディスク状記録媒体を載置したときに、前記第２のターンテーブルを、前記第１のディスク状記録媒体の投影面積内でオーバーラップさせ、前記第１のディスク状記録媒体の下面よりも下側に配設するようにした
ことを特徴とするディスク装置。
【請求項２】
請求項１に記載のディスク装置において、
前記第２のディスク状記録媒体を前記トレイに載置したときには、前記第１のディスク状記録媒体を前記トレイに載置したときよりも低い位置になるように、
前記第１のディスク状記録媒体の凹部に対して段差を設けて前記第２のディスク状記録媒体の凹部を備えた
ことを特徴とするディスク装置。
【請求項３】
請求項１に記載のディスク装置において、
前記第１のディスク状記録媒体及び／又は前記第２のディスク状記録媒体は、カートリッジ又はキャディに収納されている
ことを特徴とするディスク装置。
【請求項４】
請求項１に記載のディスク装置において、
前記トレイは前記第１のディスク状記録媒体又は前記第２のディスク状記録媒体を交換可能な位置から、前記ディスク装置内の所定の位置に移動するよう構成され、
前記トレイが移動した前記所定の位置において、前記トレイと前記相互に固定された前記第１のターンテーブル及び前記第２のターンテーブルとが、相対的に上下に移動して、前記第１のディスク状記録媒体又は前記第２のディスク状記録媒体が前記第１のターンテーブル又は前記第２のターンテーブルに装着できるように構成された
ことを特徴とするディスク装置。
【請求項５】
請求項１に記載のディスク装置において、
前記トレイに前記第１のディスク状記録媒体又は前記第２のディスク状記録媒体のいずれが載置されたかを検出する検出器を備え、
前記トレイが、前記第１のディスク状記録媒体が載置されたことを検出したときは第１の所定位置まで移動し、前記第２のディスク状記録媒体が載置されたことを検出したときは第２の所定位置まで移動し、
載置される前記ディスク状記録媒体に応じて前記トレイの移動の長さを変えるように構成した
ことを特徴とするディスク装置。
【発明の詳細な説明】
【技術分野】
【０００１】
本発明は、ディスク状記録媒体に記録及び／又は再生をできるようにしたディスク装置に係り、特に、フォーマットの異なるに大小の少なくとも２種のディスク状記録媒体の内のいずれかを、１つのトレイに載置し使用するのに好適なディスク装置に関する。
【背景技術】
【０００２】
従来、光ディスク、磁気ディスク、または、光磁気ディスクなどのディスク状記録媒体に対して、情報信号の記録及び／又は再生を行うためのディスク記録装置やディスク再生装置が種々提案されている。このようなディスク記録装置やディスク再生装置は、ディスク状記録媒体を保持して回転操作する回転駆動機構と、この回転駆動機構により回転操作されるディスク状記録媒体に対向して該ディスク状記録媒体に対して情報信号の書込み及び／又は読出しを行うピックアップ装置とを有して構成されている。上記ディスク状記録媒体が光ディスクである場合には、上記ピックアップ装置としては、光学ピックアップ装置が用いられる。なお、以下では、ディスク状記録媒体をディスク、ディスク記録装置とディスク再生装置を総称して単にディスク装置と述べる。
【０００３】
そして、上記ディスク装置として、８ｃｍ又は１２ｃｍのＣＤ(compact disc)とＤＶＤ(digital versatile disc)のディスクという、異なるフォーマットでも外形が略同じディスクが装着可能とされたものや、ＣＤとＭＤ（mini−disc）などの異形サイズで異なるフォーマットのディスクを組合わせ、ディスクを選択的に用いて情報信号の記録及び／又は再生が可能に構成されたものが提案されている。
【０００４】
図１４は、後者のＣＤとＭＤとを再生することができるように構成されたディスク装置１１０の例を示している。ディスク装置１１０は、フロントパネルに１２ｃｍと８ｃｍのＣＤディスクの載置部を有するトレイ１１２とＭＤディスクの挿入口１１４を設け、ＣＤディスク用のロード／アンロードボタン１１３と、ＭＤディスク用のロード／アンロードボタン１１４とを別々に設ける。そして、トレイ１１２に８ｃｍ又は１２ｃｍＣＤディスクの何れかを載置してからロード／アンロードボタン１１３を押すことによりトレイ１１２が略水平方向に挿入し、装置本体１１１内部で所定位置に位置決めされてから所望の再生動作を開始する、いわゆる、フロントローディング式のものである。
また、ＭＤディスクは、ＭＤディスクを挿入口に入れると装置本体１１１内部の図示しないディスク引き込み機構によりＭＤディスクが所定位置に位置決めされてから所望の再生動作を開始する。ジョグシャトル１１６は、挿入されているディスクの再生状態を制御するもので早送り、早戻し、再生、停止、一時停止（ポーズ）、スロー速度制御などを行うものである。
そして、ディスクの取り出し（アンロード）は、再度ロード／アンロードボタン１１３又は１１４を押すことにより行うことができる。
【０００５】
また、上述のディスク装置では赤外線半導体レーザを用いるディスクに対し、新たに高密度の記録に適した青色半導体レーザを用いるディスクが開発され、この青色半導体レーザを用いて、より大容量のデータ保存や長時間の記録再生を行うことのできるようになっており、この青色半導体レーザを用いるディスクをより手軽にビデオディスクカメラなどに適用し、ＤＶＤなどに匹敵するような記録再生を行えるような新たなフォーマットのディスクが検討されている状況にある。
【０００６】
なお、複数のフォーマットのディスクに対応させたディスク装置としては、特許文献１に開示されているものがある。
このディスク装置は、例えば、大径（直径３０ｃｍ）光学式ビデオディスク、小径（直径２０ｃｍ）光学式ビデオディスク、大径（直径１２ｃｍ）光学式オーディオディスク、及び、小径（直径８ｃｍ）光学式オーディオディスクなどの直径を異にする複数種類の記録ディスクに対応しており、上記各記録ディスクが位置決めされて装着される複数のディスクトレイを有し、選択されたディスクトレイを移動操作機構により搬送して使用できるようにしている。
【特許文献１】特開平５−３４７０６１号公報（３頁，図１）
【発明の開示】
【発明が解決しようとする課題】
【０００７】
しかしながら、図１４例の異なるフォーマットである、カートリッジに収納したディスク（ＭＤディスク）と、カートリッジを用いないディスク（ＣＤディスク）とを使用できるようにしたディスク装置１１０では、ディスク収納口またはディスクトレイを別々に設けた構成であるためディスク装置１１０自体が大型となり、またコスト高になる不都合があり、特許文献１に開示されているディスク装置では、カートリッジに収納されたディスクを使用することはできない不都合があった。
【０００８】
本発明はかかる点に鑑み、大小の少なくとも２種のフォーマットの異なるディスクを、記録及び／又は再生できるようにしたコンパクトな構成のディスク装置を提案することを目的とする。
【課題を解決するための手段】
【０００９】
上記課題を解決するため、本発明は、第１のディスク状記録媒体とこの第１のディスク状記録媒体より小径の第２のディスク状記録媒体とを記録及び／又は再生するディスク装置において、相互に固定された第１のディスク状記録媒体に対応した第１のターンテーブル及び第２のディスク状記録媒体に対応した第２のターンテーブルと、第１のディスク状記録媒体と第２のディスク状記録媒体をそれぞれ載置できるような凹部を設けた一枚のトレイとを有し、第１のターンテーブルに第１のディスク状記録媒体を載置したときに、第２のターンテーブルを、第１のディスク状記録媒体の投影面積内でオーバーラップさせ、第１のディスク状記録媒体の下面よりも下側に配設するようにしたものである。
【００１０】
このように構成したディスク装置によれば、第１のディスク状記録媒体の投影面内に第２のターンテーブルが部分的に重なるように配されるため、第１及び第２のターンテーブルをコンパクトに収納することができるとともに、一方のディスク状記録媒体を他方のターンテーブルと干渉することなく動作させることができる
【発明の効果】
【００１１】
本発明のディスク装置によれば、第１及び第２のターンテーブルをコンパクトに収納することができるとともに、一方のディスク状記録媒体を他方のターンテーブルと干渉することなく動作させることができる。
【００１２】
また、本発明によれば、第２のターンテーブルは第１のターンテーブルと比べ低い位置にあるので、トレイに設けた第１及び第２のディスク状記録媒体の載置面の高さを予め変えておくことにより、高さ方向の移動距離を少なくすることができ、またそれぞれのディスク状記録媒体の載置をし易くすることができる。
【００１３】
また、本発明によれば、第１及び第２のディスク状記録媒体の両方がカートリッジ又はキャディに収納した状態の場合、あるいは第１又は第２のディスク状記録媒体のいずれか一方がカートリッジ又はキャディに収納した状態の場合に、トレイに載置された第１又は第２のディスク状記録媒体を、第１又は第２のうちの所定のターンテーブルに装着して使用することができる。
【００１４】
また、本発明によれば、トレイはディスク装置の外に引出されて第１又は第２のディスク状記録媒体が載置され、内部に挿入移動される。そして、挿入されたトレイと、第１及び第２のターンテーブルとの間隙を狭めるように移動駆動し、第１又は第２のディスク状記録媒体を第１又は第２のうちの所定のターンテーブルに装着して使用することができる。
【００１５】
さらに、本発明によれば、第１又は第２のディスク状記録媒体のうちいずれが載置されているのかを検出し、載置されているディスク状記録媒体に応じてトレイの移動量を変えて、第１又は第２のうちの所定のターンテーブルに載置し、載置されたターンテーブルだけを作動させることができる。
【発明を実施するための最良の形態】
【００１６】
以下、本発明のディスク装置を実施するための最良の形態の例を図１〜図９を参照して説明する。
先ず、本例のディスク装置を図１〜図５を参照して説明する。
【００１７】
本例のディスク装置１０は、図１及び図３に示すように、トレイ１２に載置したディスクが、ディスク装置１０のフロントパネル１１ａに対して略水平方向に挿抜できるようにされたフロントローディング式のディスク再生装置である。
このディスク装置１０は、図３に示すロード／アンロードボタン１３を押しトレイ１２を手前側のディスク載置位置まで引出して、ディスクを載置する。そして、ロード／アンロードボタン１３を再度押すことによりトレイ１２がディスク装置１０の中に挿入移動し、再生を行う。このとき、再生画像の操作はジョグシャトル１６により自在に行うことができる。
【００１８】
このディスク装置１０に用いられるディスクは、図１に示すように、直径１２ｃｍのＤＶＤディスク３-1と直径８ｃｍのＤＶＤディスク３-2と、新しいフォーマットに基づくディスク（以下、「新ディスク」と述べる）４の３種である。
２種のＤＶＤディスク３-1，３-2は、図１に示すように、厚さ略０．６ｍｍの樹脂円板を２枚張り合わせて厚さを略１．２ｍｍとしてＣＤなどと寸法互換性を有するようにした光ディスクであり、中央に略１５ｍｍのセンターホール３ａを設ける。
【００１９】
また、新ディスク４は、例えば図１及び図５に示すように、略５５ｍｍ×５５ｍｍの矩形板の一側面が曲面で厚さが３ｍｍ程度の大きさのカートリッジに、直径が略５０ｍｍの青色半導体レーザ対応のディスクプレート４-1を収納したものである。
そして、ディスクプレート４-1の中心には強磁性体の金属円板が一体に設けられ、カートリッジの表面には、図５Ａに示すように、挿入方向を示す三角形凹部と記録内容を記した紙を貼るための略矩形凹部を設け、裏面には、図５Ｂに示すように、位置決めのための丸穴４-2と長穴４-3、カートリッジ内のディスクプレート４-1にアクセスするときに開けるシャッタ４ａ及びこのシャッタ４ａを開閉自在とするために、摺動ガイド４ｂと側面に長溝４-4とを設ける。
この新ディスク４は、コンパクトでありながら大きな記録容量をもち、次世代の撮像装置などの画像、映像などの記録媒体として使用されるものである。  
【００２０】
本例のディスク装置１０は、筐体を透視して見た図４に示すように、ＤＶＤディスク３-1，３-2の再生を行うことができるＤＶＤディスク用のメカデッキ（以下、「ＤＶＤメカデッキ」と述べる。）２１を図４に示す右奥に、新ディスク４の再生を行うことができる新ディスク用のメカデッキ（以下、「新メカデッキ」と述べる。）２２を図４に示す左手前に配設されている。
そして、ＤＶＤメカデッキ２１と新メカデッキ２２とは、それぞれ専用のＤＶＤメカシャーシ３１と新ディスクメカシャーシ３２に搭載され、ディスク装置１０の筐体内の底面に配される共通メカフレーム１５に取付けられる。
なお、図４ＡでＤＶＤメカデッキ２１と新メカデッキ２２とを囲むように示した一点鎖線及び二点差線の四角形は後述するトレイ１２の挿入位置についての仮想線であり一点鎖線が新ディスク４用の手前側となる挿入位置で、二点差線がＤＶＤディスク３用の奥側となる挿入位置を示している。
【００２１】
ＤＶＤメカデッキ２１は、図４Ａに示すように、略正方形で、スピンドルモータ２１ａとターンテーブル２１ｂ及び図示しないディスク把持機構などからなるディスク回転機構と、赤外線半導体レーザを含む光ピックアップ２１ｃと、スライドガイド２１ｄ-1，２１ｄ-2、送りネジ２１ｅ、送りモータ２１ｇ、減速歯車列２１ｆなどを含むピックアップ移動機構などからなる光ピックアップ装置とから構成される。
そして、スピンドルモータ２１ａは、図４Ａに示すように、共通メカフレーム１５の略中央に配されるものの、略正方形のＤＶＤメカデッキ２１の中心からはずらして配置されており、スピンドルモータ１５の図４Ａに示す奥の側にＤＶＤメカデッキ２１の光ピックアップ装置を配設し、光ピックアップ２１ｃはスピンドルモータ１５の中心から右奥方向に駆動するように設けられる。
【００２２】
また、新メカデッキ２２は、図４Ａに示すように、略正方形で、スピンドルモータ２２ａとこのモータ軸に設けられ永久磁石を埋設したディスクチャック２２ｂなどからなるディスク回転機構と、青色半導体レーザを含む光ピックアップ２２ｃと、スライドガイド２２ｄ-1，２２ｄ-2、図示しない送りネジ及び送りモータなどを含むピックアップ移動機構とからなる光ピックアップ装置とから構成され、ＤＶＤメカデッキ２１よりも小型化され、省スペースとなっている。
そして、新メカデッキ２２は、ＤＶＤメカデッキ２１のスピンドルモータ２１ａの図４Ａに示す左手前に配し、ＤＶＤメカデッキ２１と干渉しないように配設するとともに、光ピックアップ２２ｃはフロントパネル１１ａ（図１参照）に略平行に駆動するように設けられる。また、新メカデッキ２２のディスクチャック２２ｂの横にはアーム状のシャッタオープナ１２ｍが配される。
なお、シャッタオープナ１２ｍは、後述するトレイ１２がディスク装置１０の内部に挿入されるときに、先端が新ディスク４の図５に示す長溝４-4に係合され、トレイ１２の挿入に応じて徐々にシャッタ４ａを押し開き、新ディスク４の挿入位置で全開するようになされる。
【００２３】
また、メカデッキ２１，２２を横から見た図４Ｂの側面図に示すように、ＤＶＤディスク３用のターンテーブル２１ｂの載置面に対して、新ディスク４用のディスクチャック２２ｂの載置面が低くなるように構成され、ＤＶＤディスク３-1をターンテーブル２１ｂに載置したとき、ＤＶＤディスク３-1と新ディスク４とが干渉しないようにしている。なお、図４Ｂでは、ＤＶＤディスク３-1と、カートリッジを透視しディスクプレート４-1のみを示した新ディスク４の両方を二点鎖線で示したが、実使用上はＤＶＤディスク３と新ディスク４の内の何れか1枚のディスクがトレイに載置される。
【００２４】
次に、本例のディスク装置１０のトレイ１２を図１，図２，図４〜図９を参照して説明する。
【００２５】
図１及び図２は、トレイ１２を示し、ＤＶＤディスク３-1，３-2，新ディスク４の３種のうちのいずれか１枚を載置し、図４に示すＤＶＤ用のターンテーブル２１ｂ又は新ディスク用のディスクチャック２２ｂにディスクを載置するものである。
トレイ１２は、プラスチックなどでディスクの載置部とトレイ蓋１２ａが一体に形成されるものであり、トレイ１２の上面１２-1側の略中央には、上面１２-1から直径が例えば１２５ｍｍで深さ略２ｍｍの円形の凹部による段差を設けて直径が１２ｃｍのＤＶＤディスク３-1の載置面１２-2とする。そして、この円形と同心円で、面１２-2から直径が例えば８３ｍｍで略２ｍｍの凹部による段差を設けて直径が８ｃｍのＤＶＤディスク３-2の載置面１２-3を設ける。
【００２６】
また、図１に示す左手前のトレイ１２のトレイ蓋１２ａの近くで、面１２-3から略３．５ｍｍ下方に、新ディスク４の外径形状と略相似形で少し大きい載置面１２-4を設ける。
そして、図１に示すように、トレイ１２のＤＶＤディスク３-1、３-2の載置領域には長い開口孔１２ｂ、新ディスク４の載置領域には開口孔１２ｃを設け、この開口孔１２ｂ，１２ｃの間を孔１２ｄで連設する。
さらに、新ディスク４の載置面１２-4には、図１及び図７に示すように、新ディスク４を高さ方向と面方向に位置出しするためのガイド用の孔１２-5が３つ穿孔される。
【００２７】
このトレイ１２に形成される開口孔１２ａ，１２ｂは、以下のような形状で形成される。すなわち、本例のディスク装置１０では、ＤＶＤディスク３と新ディスク４とで装置本体１１内でのトレイ１２の挿入位置を異にして知る。このため、新ディスク４を載置したときは、図６に示すように、トレイ１２がＤＶＤディスク３用のスピンドルモータ２１ａの中心とトレイ蓋１２ａとの距離が図６に示すＬとなる第１の挿入位置まで挿入させる。
また、ＤＶＤディスク３-1，３-2のいずれかを載置したときは、図７に示すように、トレイ１２がＤＶＤディスク３用のスピンドルモータ２１ａの中心とトレイ蓋１２ａとの距離が図７に示すＬ−Ｌ0となる第２の挿入位置まで挿入させるように構成している。ここで、Ｌ0は、トレイ１２の第１の挿入位置（図６の距離Ｌ）と第２の挿入位置（図７の距離Ｌ−Ｌ0）との差となる（図７参照）。
このため、本例のトレイ１２の開口孔１２ｂと開口孔１２ｃとは、第１及び第2の挿入位置の何れでもＤＶＤ用のターンテーブル２１ｂと新ディスク用のディスクチャック２２ｂに干渉することがないように幅広形状に形成される。
【００２８】
一方、トレイ１２の下面側には、図２Ａ及びＢに示すように、小型のローディングモータ１２ｆと、この回転軸に設けたウォームギヤとウォームホィールギヤと平歯車などからなる減速歯車列１２ｅが設けられる。そして、ディスク装置１０の筐体内に設けられるスライドガイド１１ｂとトレイ１２とが摺動自在に係合するとともに、図示しない直線状のラックギヤと減速歯車列１２ｅの最終の平歯車が係合するようにする。また、ローディングモータ１２ｆには図示しないロータリエンコーダが設けられ、トレイ１２が移動するときこのエンコーダの回転数を計数することによりトレイ１２の位置を算出できるようにしている。
そして、ローディングモータ１２ｆの回転によりトレイ１２が図２Ａに示す奥の位置からフロントパネル１１ａ（図３参照）の手前側にディスク載置部を露呈する引出し（アンローディング）動作、あるいはディスク載置部が露呈された状態からディスク装置１０内のターンテーブル上方に配する挿入（ローディング）動作を行うようにする。
【００２９】
さらに、トレイ１２には、図２Ａに示すように、ＤＶＤディスク３-1，３-2の有無を検出するための透過型センサ１２ｇと新ディスク４の有無を検出するための反射型センサ１２ｈとを設ける。この透過型センサ１２ｇは、図２Ｂに示すように、その投光器１２ｇ-1と受光器１２ｇ-2とをＤＶＤディスク３の載置領域の略中心を挟んで、投光器１２ｇ-1を図２Ｂに示す左上側、受光器１２ｇ-2を図２Ｂに示す右下側に設ける。
【００３０】
以下、このように構成されたトレイ１２の新ディスク４とＤＶＤディスク３のローディング動作を説明する。なお、ここではアンローディング動作はローディング動作と逆の動作となるため省略し、また、簡単のためにＤＶＤディスク３の載置面は、１２ｃｍＤＶＤディスク３-1が載置される面１２-2のみを図示して説明する。
【００３１】
先ず、新ディスク４のローディング動作を、模式図８Ａ〜図８Ｄを参照して説明する。
初めに、ロード／アンロードボタン１３（図３参照）を押し、トレイ１２を筐体内のスライドガイド１１ｂに沿って装置本体１１の外側となる図８Ａに示すトレイ１２の前進端まで引出し、新ディスク４を図５Ｂに示す位置決め穴のある面を下にして、トレイ１２の面１２-4上に載置する。
【００３２】
そして、ロード／アンロードボタン１３（図３参照）を再度押して、図８Ｂに示すように、トレイ１２を装置本体１１の内部に挿入する。このロード／アンロードボタン１３を押したときにローディング動作の開始とともに、トレイ１２の透過型センサ１２ｇによるディスク３なし、反射型センサ１２ｈによる新ディスク４ありが検出される（図２参照）。
そして、このローディング動作のとき、図２Ａに示すシャッタオープナ１２ｍが新ディスク４の側面の長溝４-4（図５参照）に係合し、トレイ１２の挿入に伴いシャッタ４ａを摺動して開け、ディスクプレート４-1を露呈させる。なお、挿入位置は、図６に示す新ディスク４をローディングするときのもので、トレイ蓋１２ａの面からＤＶＤ用のターンテーブル２１ｂの中心までの距離がＬとなる位置で、この挿入位置で新ディスク４用のメカデッキ２２のみが選択的に動作するようになされる。
【００３３】
そして、図８Ｃに示すように、トレイ１２の新ディスク４用の挿入位置で、装置本体１１の内部に設けられるディスク押え１１ｄ及び図示しない位置決めピンにより、トレイ１２上で位置決めされるとともに固定される。この位置決めは、トレイ１２の新ディスク載置面１２-4に穿孔されている３つの孔１２-5に図示しない位置決めピンが挿通されて、新ディスク４裏面の図５Ｂに示す丸穴４-2と長穴４-3に嵌合することにより行われる。
【００３４】
そして、図８Ｄに示すように、メカフレーム１５が上昇駆動され、新メカデッキ２２がトレイ１２に下方から近づき、新ディスク４のディスクプレート４-1中心の金属円板にディスクチャック２２ｂが係合する。
なお、図８Ｄに示す状態において、メカフレーム１５が上昇駆動によって、ＤＶＤメカデッキ２１も新メカデッキ２２と一緒にトレイ１２に下方から近づき、新ディスク４にディスクチャック２２ｂが係合するとき、ＤＶＤディスク３-1のターンテーブル２１ｂ面は、トレイ１２のＤＶＤディスク３-1の載置面１２-2のレベルよりもδだけ高い位置となるようになされる。
【００３５】
次に、ＤＶＤディスク３-1のローディング動作を、模式図９Ａ〜図９Ｄを参照して説明する。
初めに、ロード／アンロードボタン１３（図３参照）を押し、トレイ１２を筐体内のスライドガイド１１ｂに沿って装置本体１１の外側の図９Ａに示すトレイ１２の前進端まで引出し、ＤＶＤディスク３-1を、記録面を下にして、トレイ１２の面１２-2上に載置する。
【００３６】
そして、ロード／アンロードボタン１３を再度押して、図９Ｂに示すように、トレイ１２を装置本体１１の内部に挿入する。ロード／アンロードボタン１３を押したときにローディング動作の開始と、トレイ１２の透過型センサ１２ｇによるディスク３あり、反射型センサ１２ｈによる新ディスク４なしが検出される（図２参照）。
このときの挿入位置は、図７に示すＤＶＤディスク３-1，３-2をローディングするときのもので、トレイ蓋１２ａの面からＤＶＤ用のターンテーブル２１ｂの中心までの距離がＬ−Ｌ0となる、新ディスク４の挿入位置よりもＬ0だけ奥の位置で、この挿入位置でＤＶＤディスク３用のメカデッキ２１のみが選択的に動作するようになされる。
【００３７】
そして、図９Ｃに示すように、メカフレーム１５が上昇駆動され、ＤＶＤメカデッキ２１がトレイ１２に下方から近づき、ついにはＤＶＤディスク３-1のセンターホール３ａにターンテーブル２１ｂが係合する。なお、図９Ｃはメカデッキ２１の上昇途中の、ターンテーブル２１ｂの載置面とトレイ１２のＤＶＤディスク３-1載置面１２-2とが略同一レベルの状態を示している。
そして、図９Ｄに示すＤＶＤディスク３-1が、トレイ１２のＤＶＤディスク３-1の載置面１２-2との間にδの間隙を設けるようになされるとともに、図示しないディスククランプが下降し、このディスククランプとターンテーブル２１ｂとでディスク３-1を回転自在に挟持する。
なお、１２ｃｍＤＶＤディスク３-1の代わりに８ｃｍＤＶＤディスク３-2を面１２−３に載置しても、面１２−３の凹部円形は、１２ｃｍＤＶＤディスク３-1の載置の面１２-2の凹部円形と同心円となっており、ディスクホール３ａの内径が略同じ１５ｃｍで、光ピックアップ２１ｃがスピンドルモータ１５の中心から半径方向外側に向って駆動されるため、支障なく再生することができる。
【００３８】
このように構成された本例のディスク装置１０では、新ディスク４とＤＶＤディスク３（１２ｃｍＤＶＤディスク３-1，８ｃｍＤＶＤディスク３-2）とでその挿入位置を変えて２ポジションにすることにより、装置本体１１内におけるＤＶＤメカデッキ２１と新メカデッキ２２との配置を、相互の干渉をさほど気にせず決めることができ、トレイの小型化とトレイ引出長さの短縮が図れ、ディスク装置１０の小型化だけでなく置き場所の制限を少なくすることができる。
【００３９】
次に、本発明のディスク装置を実施するための最良の形態の他の例を図１０〜図１３を参照して説明する。
本例のディスク装置は、図１〜図９例とＤＶＤメカデッキと新ディスクメカデッキの構成は同じで、ＤＶＤメカデッキに対して新ディスクメカデッキをより近づけて配設できるようにメカシャーシを見直し、トレイ１２の１つの挿入位置で新ディスク４とＤＶＤディスク３-1，３-2とを再生することができるように構成したものである。以下では、この図１０〜図１３を説明するに図１〜図９に対応する部分には同一の符号を付し説明する。
【００４０】
図１０は、本例のディスク装置１０の筐体を透過して見た図であり、ＤＶＤディスク３用のＤＶＤメカデッキ２１と新ディスク４用の新メカデッキ２２とが、専用のＤＶＤメカシャーシ３１と新メカシャーシ３２に搭載されて実装される。そして、ＤＶＤメカシャーシ３１は筐体での図４に示す右奥、新メカシャーシ３２は図４に示す左手前に配され、図１０に示す新メカシャーシ３２の右上側と、スピンドルモータ２１ａ近くのＤＶＤメカシャーシ３１の左下側とを切り欠き、新メカデッキ２２がＤＶＤメカデッキ２１に食い込むような形態として配される。また、新メカデッキ２２のディスクチャック２２ｂの横にはアーム状のシャッタオープナ１２ｍが配される。
なお、シャッタオープナ１２ｍは、後述するトレイ１２がディスク装置１０の内部に挿入されるときに、先端が新ディスク４の図５に示す長溝４-4に係合され、トレイ１２の挿入に応じて徐々にシャッタ４ａを押し開き、新ディスク４の挿入位置で全開するようになされる。
【００４１】
そして、このＤＶＤメカシャーシ３１と新ディスクメカシャーシ３２とは共にディスク装置１０の筐体内の共通メカフレーム１５に設けられる。
なお、ＤＶＤメカデッキ２１と新メカデッキ２２は、図１〜図９例と同じように、ＤＶＤディスク３用のターンテーブル２１ｂの載置面に対して、新ディスク４用のディスクチャック２２ｂの載置面が低くなるように構成され、ＤＶＤディスク３をターンテーブル２１ｂに載置したとき、ＤＶＤディスク３と新ディスク４とが干渉しないように配設される。
【００４２】
図１１は、本例のディスク装置１０に用いられるトレイ１２の平面図をメカデッキ２１，２２とともに示した図で、このトレイ１２は、プラスチックなどを成形してディスクの載置部とトレイ蓋１２ａが一体に形成されるもので、図１〜図９例と同様、ＤＶＤディスク３-1，３-2，新ディスク４の３種のうちのいずれかを載置して使用するものである。
トレイ１２の上面側の略中央には、上面１２-1から直径が例えば１２５ｍｍで深さ略２ｍｍの円形の凹部による段差を設けて直径が１２ｃｍのＤＶＤディスク３-1の載置面１２-2とする。そして、この円形と同心円で、面１２-2から直径が例えば８３ｍｍで略２ｍｍの凹部による段差を設けて直径が８ｃｍのＤＶＤディスク３-2の載置面１２-3を設ける。
また、図１１に示す左手前のトレイ１２のトレイ蓋１２ａの近くで、面１２-3から略３．５ｍｍ下方に、新ディスク４の外径形状と略相似で少し大きい載置面１２-4を設ける。このとき、図１１に示すように、ＤＶＤメカデッキ２１のターンテーブル２１ｂの中心が、トレイ１２のＤＶＤディスク３-1，３-2の円形の載置面の凹部の中心と略一致し、同時に新メカデッキ２２のディスクチャック２２ｂの中心が、載置された新ディスク４のディスクプレート４-1の中心に略一致するように、トレイ１２が形成される。
【００４３】
また、図１１に示すように、トレイ１２のＤＶＤディスク３-1、３-2の載置領域には長い開口孔１２ｂと、新ディスク４の載置領域には開口孔１２ｃとを設け、この開口孔１２ｂ，１２ｃの間を孔１２ｄで連設する。
また、載置面１２-4には、図１１に示すように、新ディスク４を高さ方向と面方向に位置出しするためのガイド用の孔１２-5が３つ穿孔される。
そして、図１〜図９例と同様、トレイ１２の下面側には、図示しないが小型のロータリエンコーダ付きのローディングモータと、減速歯車列が設けられ、ディスク装置１０の筐体内に設けられるスライドガイド１１ｂ（図１２参照）とトレイ１２とが摺動自在に係合し、トレイ１２のローディング動作とアンローディング動作を行なえるようにしている。
またトレイ１２には、ＤＶＤディスク３-1，３-2の有無を検出するための透過型センサ１２ｇと新ディスク４の有無を検出するための反射型センサ１２ｈとが設けられる。
なお、トレイ１２は、挿入位置が１位置であるため、図１〜図９例と比べて開口孔１２ｂと開口孔１２ｃの開口幅は狭いものとなっている。
【００４４】
以下、このように構成されたトレイ１２の新ディスク４とＤＶＤディスク３のローディング動作を説明する。なお、ここではアンローディング動作はローディング動作と逆の動作となるため省略し、また、説明上ＤＶＤディスク３の載置面は、１２ｃｍＤＶＤディスク３-1が載置される面１２-2のみを図示して説明する。
【００４５】
先ず、新ディスク４のローディング動作を説明する。
初めに、ロード／アンロードボタン１３（図３参照）を操作してトレイ１２の前進端まで引出し、図１２Ａに示すように、新ディスク４をトレイ１２の面１２-4上に載置する。このとき、トレイ１２の透過型センサ１２ｇではディスク３なし、反射型センサ１２ｈでは新ディスク４ありと検出される。
そして、ロード／アンロードボタン１３を再度押して、図１２Ｂに示すように、トレイ１２を装置本体１１の内部に挿入する。このとき、図１１に示すシャッタオープナ１２ｍで新ディスク４のシャッタ４ａが開けられ、ディスクプレート４-1を露呈させる。また、挿入位置は、トレイ蓋１２ａの面からＤＶＤ用のターンテーブル２１ｂの中心までの距離が図１０に示すＳとなる位置である。
【００４６】
そして、図１２Ｃに示すように、メカフレーム１５が上昇駆動され、新メカデッキ２２がトレイ１２に下方から近づき、新ディスク４のディスクプレート４-1中心の金属円板にディスクチャック２２ｂが係合する。
このとき、挿入位置で、装置本体１１の内部に設けられるディスク押え１１ｄと図示しない位置決めピンにより、新ディスク４がトレイ１２に位置決めされるとともに固定される。なお、メカフレーム１５が上昇駆動されることによって、ＤＶＤメカデッキ２１も新メカデッキ２２と一緒にトレイ１２に下方から近づき、新ディスク４にディスクチャック２２ｂが係合するとき、ＤＶＤディスク３-1のターンテーブル２１ｂ面は、トレイ１２のＤＶＤディスク３-1の載置面１２-2のレベルよりもΔだけ高い位置となるようになされる。
【００４７】
次に、ＤＶＤディスク３-1のローディング動作を説明する。
初めに、ロード／アンロードボタン１３（図３参照）を押し、図１３Ａに示すトレイ１２の前進端まで引出し、ＤＶＤディスク３-1の記録面を下にして、トレイ１２の面１２-2上に載置する。このとき、トレイ１２の透過型センサ１２ｇではディスク３あり、反射型センサ１２ｈでは新ディスク４なしと検出される。
そして、ロード／アンロードボタン１３を再度押して、図１３Ｂに示すように、トレイ１２を装置本体１１の内部に挿入する。このときの挿入位置は、新ディスク４における図１２Ｂと同じトレイ蓋１２ａの面からＤＶＤ用のターンテーブル２１ｂの中心までの距離がＳとなる位置である（図１１参照）。
【００４８】
そして、メカフレームが上昇駆動され、ＤＶＤメカデッキ２１がトレイ１２に下方から近づき、ついにはＤＶＤディスク３-1のセンターホール３ａにターンテーブル２１ｂが係合し、図１３Ｃに示すように、ＤＶＤディスク３-1が、トレイ１２のＤＶＤディスク３-1の載置面１２-2との間にΔの間隙を設けるようになされるとともに、図示しないディスククランプが下降し、このディスククランプとターンテーブル２１ｂとでディスク３-1を回転自在に挟持する。
【００４９】
このように、トレイ１２の挿入位置を１つとなるように構成した本例のディスク装置１０では、上述図１〜図９例と比し、よりトレイ１２の小型化とトレイ引出長さの短縮化を図ることができる。
【００５０】
このように構成された本例のディスク装置によれば、複数のフォーマットのディスクのうち最も大きいディスクをトレイの最上の位置に載置するように配設し、異なるフォーマットのディスクを最も大きいディスクの載置領域に食い込ませるように配設することにより、従来のように別々の挿入口を設ける場合と比べ、トレイ機構の部品点数が減り、小型化とコストダウンを図ることができる。また、ディスクをローディングするトレイが１つとなるので、ローディングのためのスイッチが１つで済み、スイッチの押し間違いが無くなり使い勝手をよくすることができる。そして、新ディスク４に記録した画像などのデータとＤＶＤディスク３-1，３-2に記録した画像などのデータを１台のディスク装置で再生することができる。
【００５１】
なお、本例のディスク装置では、大径のディスクを１２ｃｍＤＶＤディスク３-1として説明したが、ＤＶＤディスクとしては再生専用の DVD-ROM,DVD-Video，DVD-Audio、記録再生用のDVD-R，DVD-RW，DVD-VRなどでもよく、ＤＶＤディスクの代わりにＣＤディスク、例えばCD-ROM，CD-Audio，CD-R，CD-RWなどでもよいことは勿論である。さらに、サイズ上の互換性と赤外線半導体レーザとの併用ができれば青色半導体レーザによる記録再生が可能なディスクであってもよい。
また、大径のディスクとしてカートリッジを使わずディスク単体のものを使用した例で説明したが、例えばカートリッジに収納されているDVD−RAMやいわゆるブルーレイ（Blue-ray）ディスクなどカートリッジやキャディに入ったものであってもよい。
また、新ディスク４をカートリッジに収納されたものとして説明したが、これに限らずキャディにセットされた状態でトレイに載置されるものでも裸状態のベアーディスクでもよい。
【００５２】
また、ＤＶＤメカデッキと新メカデッキの両方を搭載したメカフレームを駆動して、挿入されたトレイに対して下側から近づける（トレイを上昇駆動する）例で説明したが、それぞれのメカデッキを別々に上昇駆動させても、さらにはトレイ自体が下降するような構成としてもよいのは勿論である。
トレイ上の載置面として大径のディスクについても円形凹部に載置するように説明したが、ガイドピンをディスク周辺に配し、凹部をなくしてトレイ自体の厚さをより薄くすることもでき、相対的に低いレベルに小サイズフォーマットの異なるディスク又はカートリッジを配すればよい。
【００５３】
トレイに配設したディスク検出センサもトレイ自体にではなく、装置本体１１内に設けるようにしてもよく、さらには、フロントローディング式と異なる回動式の蓋体を有するディスクでも装置本体１１の内部に複数のディスク載置領域を持たせることにより適用できるものである。
【００５４】
本発明のディスク装置は、上述例に限ることなく本発明の要旨を逸脱することなく、その他種々の構成をとりうることは勿論である。例えば、上述例では再生装置に適用したが、記録装置にも適用できる。
【図面の簡単な説明】
【００５５】
【図１】本発明の一実施の形態によるディスク装置の例のトレイと、載置するディスクの例を示した外観斜視図である
【図２】本発明の一実施の形態によるディスク装置の例のトレイの構成を示すもので図２Ａは平面図、図２Ｂは矢視Ｓ−Ｓでのトレイの側断面図である。
【図３】本発明の一実施の形態によるディスク装置の例の外観略図である。
【図４】本発明の一実施の形態によるディスク装置の例のディスク駆動機構の説明図であり、Ａは平面図、Ｂは側面図である。
【図５】本発明の一実施の形態によるディスク装置の例のトレイに載置する新たなフォーマットのディスクの例の外観斜視図であり、４Ａは表面、４Ｂは裏面である。
【図６】本発明の一実施の形態によるディスク装置の例のトレイ挿入位置とディスク駆動機構の説明図である。（新ディスク挿入位置）
【図７】本発明の一実施の形態によるディスク装置の例のトレイ挿入位置とディスク駆動機構の説明図である。（ＤＶＤディスク挿入位置）
【図８】本発明の一実施の形態によるディスク装置の例のトレイの挿入動作の説明模式図で、Ａはトレイ引出し位置、Ｂは挿入位置、Ｃはディスク位置決め状態、Ｄはローディング完了状態である。（新ディスク挿入）
【図９】本発明の一実施の形態によるディスク装置の例のトレイの挿入動作の説明模式図で、Ａはトレイ引出し位置、Ｂは挿入位置、Ｃはターンテーブル上昇途中状態、Ｄはローディング完了状態である。（ＤＶＤディスク挿入）
【図１０】本発明の他の実施の形態によるディスク装置の例のディスク駆動機構の説明図であり、Ａは平面図、Ｂは側面図である。
【図１１】本発明の他の実施の形態によるディスク装置の例のトレイ挿入位置とディスク駆動機構の説明図である。
【図１２】本発明の他の実施の形態によるディスク装置の例のトレイの挿入動作の説明模式図で、Ａはトレイ引出し位置、Ｂは挿入位置、Ｃはローディング完了状態である。（新ディスク挿入）
【図１３】本発明の他の実施の形態によるディスク装置の例のトレイの挿入動作の説明模式図で、Ａはトレイ引出し位置、Ｂは挿入位置、Ｃはローディング完了状態である。（ＤＶＤディスク挿入）
【図１４】従来のディスク装置の外観略図である。
【符号の説明】
【００５６】
３…ＤＶＤディスク、３-1…１２ｃｍＤＶＤディスク、３-2…８ｃｍＤＶＤディスク、３ａ…センターホール、４…新ディスク、１０…ディスク装置、１１…装置本体、１２…トレイ、ＤＶＤメカデッキ…２１、新メカデッキ…２２
【図１】
2005310317.tif 000003
【図２】
2005310317.tif 000004
【図３】
2005310317.tif 000005
【図４】
2005310317.tif 000006
【図５】
2005310317.tif 000007
【図６】
2005310317.tif 000008
【図７】
2005310317.tif 000009
【図８】
2005310317.tif 000010
【図９】
2005310317.tif 000011
【図１０】
2005310317.tif 000012
【図１１】
2005310317.tif 000013
【図１２】
2005310317.tif 000014
【図１３】
2005310317.tif 000015
【図１４】
2005310317.tif 000016